(57)【要約】【課題】操作員による操作性を向上させることができる貨幣処理装置及び貨幣処理方法を提供することを課題とする。【解決手段】操作表示部に表示された伝票入力画面Ｇ４上で、操作員により「左へのフリック操作」が行なわれると（ステップＳ２）、伝票入力画面Ｇ４での伝票入力が終了し、操作表示部に印字待ち画面Ｇ５が表示される。また、印字待ち画面Ｇ５上で「右へのフリック操作」が行われると（ステップＳ３）、印字待ち画面Ｇ５から伝票入力画面Ｇ４に移行する。【選択図】図１
2018005745.tif 000002
【特許請求の範囲】
【請求項１】
貨幣を入金又は出金する貨幣処理部と、
少なくとも前記貨幣処理部への操作指示を受け付ける操作部と、
前記操作部の所定の操作領域上で行われる複数の動作を検出する動作検出部と、
前記動作検出部により検出された動作パターンを判定する判定部と、
前記判定部により判定された動作パターンに対応する貨幣処理を、前記貨幣処理部に実行させるよう制御する制御部と
を備えたことを特徴とする貨幣処理装置。
【請求項２】
前記操作部は、情報の表示及び操作指示の受け付けを行うタッチパネル式の操作表示部であり、
前記動作検出部は、前記操作部に対して行われる接触動作を検出する
ことを特徴とする請求項１に記載の貨幣処理装置。
【請求項３】
前記操作部は、複数の動作パターンにそれぞれ対応する案内表示を行うことを特徴とする請求項１又は２に記載の貨幣処理装置。
【請求項４】
前記動作検出部は、操作員の指先の動きを検知するモーションセンサであり、
前記操作領域は、前記モーションセンサの検出可能空間である
ことを特徴とする請求項１に記載の貨幣処理装置。
【請求項５】
前記貨幣処理部は、
貨幣を投入する入金部と、
前記入金部に投入された貨幣を一時保留する一時保留部と、
前記一時保留部から繰り出された貨幣を返却する返却部と、
前記一時保留部から繰り出された貨幣を収納する収納部と、
前記入金部に投入された貨幣を前記一時保留部に搬送し、前記一時保留部に一時保留された貨幣を前記返却部又は前記収納部に搬送する搬送部と
をさらに備え、
前記制御部は、前記判定部により判定された動作パターンに応じて、前記一時保留部に一時保留された貨幣を前記返却部又は前記収納部に搬送するよう前記搬送部を制御する
ことを特徴とする請求項１乃至４のいずれか一つに記載の貨幣処理装置。
【請求項６】
前記動作パターンを前記貨幣処理部の処理に対応付けるよう設定する設定部と、
前記設定部で対応付けられた設定情報を記憶する記憶手段と
をさらに備えたことを特徴とする請求項１乃至５のいずれか一つに記載の貨幣処理装置。
【請求項７】
貨幣を入金又は出金する貨幣処理部と、少なくとも前記貨幣処理部への操作指示を受け付ける操作部とを有する貨幣処理装置の貨幣処理方法であって、
前記操作部の所定の操作領域上で行われる複数の動作を検出する動作検出工程と、
前記動作検出工程により検出された動作パターンを判定する判定工程と、
前記判定工程により判定された動作パターンに対応する貨幣処理を、前記貨幣処理部に実行させるよう制御する制御工程と
を含んだことを特徴とする貨幣処理方法。
【発明の詳細な説明】
【技術分野】
【０００１】
この発明は、硬貨、紙幣からなる貨幣の入出金処理を行う貨幣処理装置及び貨幣処理方法に関し、特に、操作員による操作性を向上させることができる貨幣処理装置及び貨幣処理方法に関する。
【背景技術】
【０００２】
従来、銀行等の金融機関には、フロント領域に配設されるＡＴＭ（Automatic Teller Machine）と呼ばれる自動取引装置や、バックヤード領域に配設される出納機等の各種の貨幣処理装置が配設されている。
【０００３】
そして、かかる貨幣処理装置は、タッチパネル式の操作表示部が設けられることが多く、かかる操作表示部上で各種の情報入力を行うとともに、操作ガイダンスやエラー種別などが操作表示部に表示されている。例えば、特許文献１には、投入された紙幣が異常紙幣である場合に、異常紙幣に対応した対処方法に関する対処情報をタッチパネル付表示部に報知させるよう構成した自動取引装置が開示されている。
【０００４】
この特許文献１の自動取引装置では、例えば貨幣の入金処理を行う場合に、タッチパネル付表示部に設けられた完了ボタンを操作員が押下操作することによって入金処理動作を実行させ、一時保留部に保留された貨幣が一時保留部から収納カセットに収納されることになる。
【先行技術文献】
【特許文献】
【０００５】
【特許文献１】特開２００９−１２３０１６号公報
【発明の概要】
【発明が解決しようとする課題】
【０００６】
しかしながら、上記の特許文献１によれば、操作員がタッチパネル式表示部に表示される多くの操作ボタンの中から所望のボタンを探して操作しなければならないため、操作に不慣れな操作員が扱いにくいという問題がある。特に、出納機のように貨幣に関する様々な機能を有する貨幣処理装置の場合には、操作表示部に表示される表示画面上に様々な表示ボタンが表示されるため、操作員が操作したい操作ボタンを見つけるまでに時間を要する可能性がある。
【０００７】
例えば、貨幣処理装置では、操作員の明示的な意思確認を行わせるために、その都度「完了ボタン」を押下操作するよう構成されるケースが多いが、操作表示部に設けられる「完了ボタン」が常に同じ位置に表示される訳ではないため、操作員が「完了ボタン」を探すまでに時間を要する。この「完了ボタン」のみならず、操作員が各種のボタンを操作するのに要する時間が累積されると、操作性の低下が顕著になる事態に陥る。
【０００８】
本発明は、上記の従来技術の課題を解決するためになされたものであって、操作員による操作性を向上させることができる貨幣処理装置及び貨幣処理方法を提供することを目的とする。
【課題を解決するための手段】
【０００９】
上記の課題を解決するため、本発明は、貨幣を入金又は出金する貨幣処理部と、少なくとも前記貨幣処理部への操作指示を受け付ける操作部と、前記操作部の所定の操作領域上で行われる複数の動作を検出する動作検出部と、前記動作検出部により検出された動作パターンを判定する判定部と、前記判定部により判定された動作パターンに対応する貨幣処理を、前記貨幣処理部に実行させるよう制御する制御部とを備えたことを特徴とする。
【００１０】
また、本発明は、上記の発明において、前記操作部は、情報の表示及び操作指示の受け付けを行うタッチパネル式の操作表示部であり、前記動作検出部は、前記操作部に対して行われる接触動作を検出することを特徴とする。
【００１１】
また、本発明は、上記の発明において、前記操作部は、複数の動作パターンにそれぞれ対応する案内表示を行うことを特徴とする。
【００１２】
また、本発明は、上記の発明において、前記動作検出部は、操作員の指先の動きを検知するモーションセンサであり、前記操作領域は、前記モーションセンサの検出可能空間であることを特徴とする。
【００１３】
また、本発明は、上記の発明において、前記貨幣処理部は、貨幣を投入する入金部と、前記入金部に投入された貨幣を一時保留する一時保留部と、前記一時保留部から繰り出された貨幣を返却する返却部と、前記一時保留部から繰り出された貨幣を収納する収納部と、前記入金部に投入された貨幣を前記一時保留部に搬送し、前記一時保留部に一時保留された貨幣を前記返却部又は前記収納部に搬送する搬送部とをさらに備え、前記制御部は、前記判定部により判定された動作パターンに応じて、前記一時保留部に一時保留された貨幣を前記返却部又は前記収納部に搬送するよう前記搬送部を制御することを特徴とする。
【００１４】
また、本発明は、上記の発明において、前記動作パターンを前記貨幣処理部の処理に対応付けるよう設定する設定部と、前記設定部で対応付けられた設定情報を記憶する記憶手段とをさらに備えたことを特徴とする。
【００１５】
また、本発明は、貨幣を入金又は出金する貨幣処理部と、少なくとも前記貨幣処理部への操作指示を受け付ける操作部とを有する貨幣処理装置の貨幣処理方法であって、前記操作部の所定の操作領域上で行われる複数の動作を検出する動作検出工程と、前記動作検出工程により検出された動作パターンを判定する判定工程と、前記判定工程により判定された動作パターンに対応する貨幣処理を、前記貨幣処理部に実行させるよう制御する制御工程とを含んだことを特徴とする。
【発明の効果】
【００１６】
本発明によれば、操作員による操作性を向上させることが可能となる。特に、所定の操作領域上で行われる複数の動作を検出して動作パターンを判定し、判定された動作パターンに対応する貨幣処理を貨幣処理部に実行させるよう制御するよう構成したので、操作員が操作部に設けられた「完了ボタン」や「返却ボタン」などの各種のボタンを探す必要がなくなるため、操作員は、自らが望む迅速かつ効率的な貨幣処理に関する操作指示を行うことが可能となる。
【図面の簡単な説明】
【００１７】
【図１】図１は、本実施例１に係る貨幣処理装置の特徴を説明するための説明図である。
【図２】図２は、本実施例１に係る貨幣処理装置の全体構成図である。
【図３】図３は、図２に示す貨幣処理装置の機能ブロック図である。
【図４】図４は、図２に示した操作表示部の構成を示す機能ブロック図である。
【図５】図５は、操作パターンテーブルの一例を示す図である。
【図６】図６は、図４に示した操作表示部の処理手順を示すフローチャートである。
【図７】図７は、図４に示したタッチパネルに表示される画面の遷移の一例（その１）を示す図である。
【図８】図８は、図４に示したタッチパネルに表示される画面の遷移の一例（その２）を示す図である。
【図９】図９は、図４に示したタッチパネルに表示される画面の遷移の一例（その３）を示す図である。
【図１０】図１０は、図４に示したタッチパネルに表示される画面の遷移の一例（その４）を示す図である。
【図１１】図１１は、図４に示したタッチパネルに表示される画面の遷移の一例（その５）を示す図である。
【図１２】図１２は、操作待ち状態における操作案内の一例を示す図である。
【図１３】図１３は、実施例２に係る貨幣処理装置の特徴を説明するための説明図である。
【図１４】図１４は、実施例２に係る操作表示部の構成を示す機能ブロック図である。
【図１５】図１５は、動作パターンテーブルの一例を示す図である。
【図１６】図１６は、図１４に示した操作表示部の処理手順を示すフローチャートである。
【図１７】図１７は、操作待ち状態における操作案内の一例を示す図である。
【発明を実施するための形態】
【実施例１】
【００１８】
以下に添付図面を参照して、本実施例１に係る貨幣処理装置及び貨幣処理方法について説明する。なお、以下に示す実施例１では、金融機関に設置される出納機に本発明を適用した場合を示すこととする。
【００１９】
＜実施例１に係る貨幣処理装置の特徴＞
本実施例１に係る貨幣処理装置１の特徴について説明する。図１は、本実施例１に係る貨幣処理装置１の特徴を説明するための説明図である。ここでは、貨幣処理装置１に設けられた操作表示部６００の伝票入力画面Ｇ４において「完了操作」を行い、印字待ち画面Ｇ５に移行する場合を示している。
【００２０】
この貨幣処理装置１において、後述するメニュー画面Ｇ２上で「入金」を選択すると、計数開始待ち画面Ｇ３に遷移する。そして、貨幣の計数を開始すると、伝票入力画面Ｇ４が操作表示部６００上に表示される。ここで、操作員が「完了ボタン」の押下操作を行うと（ステップＳ１）、伝票入力画面Ｇ４での伝票入力が終了し、操作表示部６００に印字待ち画面Ｇ５が表示され、伝票の印字が可能な状態になる。
【００２１】
しかしながら、操作員が貨幣処理装置１の操作に不慣れな場合には、伝票入力画面Ｇ４の「完了ボタン」の位置を見つけるのに時間を要し、その結果として伝票入力を終了するまでに時間を要する場合がある。
【００２２】
そこで、本実施例１に係る貨幣処理装置１では、操作表示部６００に表示された伝票入力画面Ｇ４上で、操作員により「左へのフリック操作」が行なわれると（ステップＳ２）、「完了ボタン」が押下操作された場合と同様に、伝票入力画面Ｇ４での伝票入力が終了し、操作表示部６００に印字待ち画面Ｇ５が表示されるよう構成している。また、操作員が印字待ち画面Ｇ５上で「右へのフリック操作」を行うことにより（ステップＳ３）、「戻るボタン」が押下操作された場合と同様に、印字待ち画面Ｇ５から伝票入力画面Ｇ４に移行するよう構成している。
【００２３】
このように、本実施例１に係る貨幣処理装置１は、操作員が「完了ボタン」又は「戻るボタン」の押下操作ではなく、「左へのフリック操作」又は「右へのフリック操作」を行うことにより、画面移行できるよう構成している。また、かかる画面の移行に伴って、必要に応じて該当する貨幣処理動作が実行されることになる。
【００２４】
なお、「左へのフリック操作」が「完了ボタン」の押下操作に対応し、「右へのフリック操作」が「戻るボタン」の押下操作に対応する旨の規則付けをあらかじめしておく必要がある。これにより、操作表示部６００上の広い領域内で操作指示をすることができ、複数の処理があっても「完了ボタン」や「戻るボタン」等を操作員が狙って押下操作する必要がなくなり、処理効率が向上する結果となる。
【００２５】
＜貨幣処理装置全体の概要＞
次に、本実施例１に係る貨幣処理装置１の装置構成について説明する。図２は、本実施例１に係る貨幣処理装置の全体構成図である。図２に示すように、貨幣処理装置１は、バラ紙幣処理装置１００、束紙幣処理装置２００、バラ硬貨処理装置３００、包装硬貨処理装置４００、有価媒体処理装置５００、操作表示部６００及びプリンタ７００を有する。図２に示すように、バラ紙幣処理装置１００、束紙幣処理装置２００、バラ硬貨処理装置３００、包装硬貨処理装置４００及び有価媒体処理装置５００は並列に配置され一体的に設けられている。
【００２６】
ここで、バラ紙幣処理装置１００及び束紙幣処理装置２００は、装置間で紙幣を受渡可能に構成されている。また、バラ硬貨処理装置３００及び包装硬貨処理装置４００は、装置間で硬貨を受渡可能に構成されている。また、バラ硬貨処理装置３００及び包装硬貨処理装置４００の上面に、操作表示部６００及びプリンタ７００が配設されている。
【００２７】
操作表示部６００は、タッチパネル等からなる入出力デバイスであり、各種情報の入力又は各種情報の表示出力を行う。操作員は、この操作表示部６００を用いて貨幣の入金操作及び伝票入力操作等を行う。なお、ここでは１台の操作表示部６００のみを設けた場合を図示したが、複数台の操作表示部６００を設け、入出力内容に応じて使い分けることもできる。
【００２８】
バラ紙幣処理装置１００は、その内部に、バラ紙幣を金種別に収納できるようになっており、操作員は、このバラ紙幣処理装置１００を利用してバラ紙幣の入金処理又は出金処理を行う。
【００２９】
また、束紙幣処理装置２００の内部には束紙幣形成部（図示せず）が設けられており、バラ紙幣処理装置１００から所定の枚数（例えば、１００枚）のバラ紙幣が束紙幣処理装置２００に送られると、この束紙幣形成部により束紙幣が形成される。束紙幣形成部により形成された束紙幣は、束紙幣処理装置２００から機体外に投出される。
【００３０】
バラ硬貨処理装置３００は、その内部に、バラ硬貨を金種別に収納できるようになっており、このバラ硬貨処理装置３００を利用してバラ硬貨の入金処理や出金処理を行う。また、包装硬貨処理装置４００の内部には包装硬貨形成部（図示せず）が設けられており、バラ硬貨処理装置３００から所定の枚数（例えば、５０枚）のバラ硬貨が包装硬貨処理装置４００に送られると、包装硬貨形成部により包装硬貨が形成される。包装硬貨形成部により形成された包装硬貨は、包装硬貨処理装置４００から機体外に投出される。
【００３１】
また、バラ紙幣処理装置１００は、損券又は紙幣以外の有価媒体（小切手等）がバラ紙幣処理装置１００の機体内に投入された場合には、このバラ紙幣処理装置１００の内部に収納されず、機体外に排出される。かかるバラ紙幣処理装置１００で受け付けることができない損券又は紙幣以外の有価媒体は、有価媒体処理装置５００に投入され、有価媒体処理装置５００の機体内に収納される。
【００３２】
図３は、図２に示す貨幣処理装置１の機能ブロック図である。図３に示すように、貨幣処理装置１は、図２に示すバラ紙幣処理装置１００、束紙幣処理装置２００、バラ硬貨処理装置３００、包装硬貨処理装置４００及び有価媒体処理装置５００を有する。
【００３３】
また、貨幣処理装置１は、上記の各装置に共用される操作表示部６００と、プリンタ７００と、ＲＯＭ（Ｒｅａｄ  Ｏｎｌｙ  Ｍｅｍｏｒｙ）８０４と、ＲＡＭ（Ｒａｎｄｏｍ  Ａｃｃｅｓｓ  Ｍｅｍｏｒｙ）８０６と、ハードディスク装置、不揮発性メモリ等の記憶部８０８と、操作員のＩＤ情報の入力装置であるＩＤカードリーダ８１０と、通信部８０２と、各構成部を制御する制御部８００とを有する。
【００３４】
制御部８００は、貨幣処理装置１全体を制御する制御部であり、バラ紙幣処理装置１００、束紙幣処理装置２００、バラ硬貨処理装置３００、包装硬貨処理装置４００及び有価媒体処理装置５００を制御する。具体的には、この制御部８００は、ＲＯＭ８０４及び記憶部８０８内のプログラムをロードして実行し、ＲＡＭ８０６をワークエリアとして使用する。なお、記憶部８０８には、貨幣処理装置１の設定情報、貨幣処理装置１を構成する各装置における貨幣の処理状況や在高に関する情報等が記憶される。
【００３５】
操作表示部６００は、タッチパネル等の入出力デバイスであり、操作員が貨幣処理装置１の各装置に対して様々な指令を与える入力装置として機能するとともに、貨幣処理装置１を構成する各装置における貨幣の処理状況や在高に関する情報等を表示する出力装置としても機能する。また、券面確認操作等を行う場合にも利用される。
【００３６】
ここで、この操作表示部６００は、各種の操作画面上でフリック操作、スワイプ操作等を受け付けることができる。例えば、伝票入力画面Ｇ４上で「左へのフリック操作」がなされると、「完了ボタン」の押下操作がなされたものとして、印字待ち画面Ｇ５に表示画面を移行する。これにより、操作員は、操作画面上で「完了ボタン」を探す時間を低減し、処理の効率化を図ることができる。
【００３７】
プリンタ７００は、各種のデータを用紙に印字する出力デバイスであり、例えば、貨幣処理装置１を構成する各装置における貨幣の処理状況や在高に関する情報等が印字される。
【００３８】
通信部８０２は、ホストコンピュータ等の外部装置との間で通信を行うインタフェース部である。ＩＤカードリーダ８１０は、操作員が所持するＩＤカードのＩＤ情報の読み取りを行うデバイスである。このＩＤカードリーダ８１０により読み取られたＩＤ情報に基づいて、操作員の権限等が認証される。
【００３９】
＜操作表示部６００の構成＞
次に、操作表示部６００の構成について説明する。図４は、図２に示した操作表示部６００の構成を示す機能ブロック図である。図４に示すように、操作表示部６００は、タッチパネル６０５、通信インタフェース部６２０、ＲＡＭ６３０、ＲＯＭ６４０、記憶部６５０及び制御部６６０を有する。
【００４０】
この制御部６６０は、ＣＰＵ又はＭＰＵからなり、タッチパネル制御部６７０等を含む制御部６６０のプログラムをＲＯＭ６４０又は記憶部６５０からロードして実行し、上記の各機能部を形成することになる。
【００４１】
タッチパネル６０５は、入力可能な液晶パネル等からなる入出力デバイスであり、各種の画面を表示するとともに、データの入力を受け付ける。具体的には、後述する待機画面Ｇ１、メニュー画面Ｇ２、計数待ち画面Ｇ３、伝票入力画面Ｇ４、印字待ち画面Ｇ５、現金入力画面Ｇ６、印字待ち画面Ｇ７、損貨幣選択画面Ｇ８、損貨幣入金待ち画面Ｇ９、券面確認画面Ｇ１０，Ｇ１１、損貨幣選択画面Ｇ１２、印字待ち画面Ｇ１３などを表示する。
【００４２】
また、このタッチパネル６０５上に表示された伝票入力画面Ｇ４等での「完了ボタン」、「戻るボタン」等の押下操作や、この伝票入力画面Ｇ４等での「左へのフリック操作」、「右へのフリック操作」が検出される。
【００４３】
通信インタフェース部６２０は、貨幣処理装置１を形成する各装置（バラ紙幣処理装置１００、束紙幣処理装置２００、バラ硬貨処理装置３００、包装硬貨処理装置４００、有価媒体処理装置５００、プリンタ７００及び制御部８００）とデータを授受するインタフェース部である。
【００４４】
ＲＡＭ６３０は、制御部６６０のワークエリアとして使用される揮発性メモリであり、ＲＯＭ６４０は、制御部６６０（ＣＰＵ）で実行する各種のプログラムを記憶するメモリである。
【００４５】
記憶部６５０は、ハードディスク装置やフラッシュメモリ等の不揮発性メモリなどからなり、操作パターンテーブル６５１及び取引データ等を記憶するデバイスである。図５は、操作パターンテーブル６５１の一例を示す図である。同図に示すように、この操作パターンテーブル６５１は、「左へのフリック操作」が「完了ボタン」の押下操作に対応付けられ、「右へのフリック操作」が「戻るボタン」の押下操作に対応付けられ、「スワイプ操作」が待機画面Ｇ１への移行操作に対応付けられた状況を示している。この操作パターンテーブル６５１は、操作員が所定の操作を行った場合に、設定できるように構成されている。具体的には、所定の操作が行われると、タッチパネル６０５上に操作パターンテーブル６５１の設定画面が表示され、設定を行うことができる。
【００４６】
制御部６６０は、操作表示部６００の全体制御を行う制御部であり、タッチパネル６０５の制御を行うタッチパネル制御部６７０、判定部６７１及び貨幣処理指示部６７２を有する。
【００４７】
タッチパネル制御部６７０は、タッチパネル６０５に対する各種画面の表示制御及びタッチパネル６０５への操作入力の受付制御を行う制御部であり、操作検出部６７０ａを有する。この操作検出部６７０ａは、タッチパネル６０５上で行われた操作員による指での一連の連続する操作（フリック操作、スワイプ操作）を検出する検出部である。なお、スマートフォンなどの携帯端末装置上でフリック操作やスワイプ操作検出する場合に適用される周知技術を用いることができる。例えば、タッチパネル６０５が指の押圧を検知可能な感圧式のデバイスで形成され、タッチパネル６０５上のある一点に操作員の指が載置され、その後に指が左側に一定時間以内に移動する軌跡が検出されたならば、左へのフリック操作が検知される。また、タッチパネル６０５上のある一点に操作員の指が載置され、その後に指が左側に一定時間以上移動する軌跡が検出されたならば、左へのスワイプ操作が検知される。
【００４８】
判定部６７１は、記憶部６５０に記憶された操作パターンテーブル６５１に基づいて、操作検出部６７０ａにより検知された操作が持つ意味を判定する処理部である。例えば、図５に示す操作パターンテーブル６５１の場合には、操作検出部６７０ａによって「左へのフリック操作」が検知されると、操作員によって「完了ボタン」の押下操作がなされたものと判定される。
【００４９】
貨幣処理指示部６７２は、制御部８００に対して操作内容に応答する貨幣処理に係る指示を行う処理部である。例えば、操作検出部６７０ａによって「左へのフリック操作」が検知され、操作員によって「完了ボタン」の押下操作がなされたものと判定部６７１によって判定された場合に、この操作によって入金操作や出金操作が確定したならば、入金操作や出金操作に対応する貨幣処理を制御部８００に対して指示する。制御部８００は、かかる指示を受け付けたならば、バラ紙幣処理装置１００、束紙幣処理装置２００、バラ硬貨処理装置３００、包装硬貨処理装置４００、有価媒体処理装置５００又はプリンタ７００に対して該当する指示を通知する。なお、ここでは説明の便宜上、制御部８００に対して貨幣処理に係る指示を行う場合を示したが、本発明はこれに限定されるものではなく、貨幣処理指示部６７２が、バラ紙幣処理装置１００、束紙幣処理装置２００、バラ硬貨処理装置３００、包装硬貨処理装置４００、有価媒体処理装置５００又はプリンタ７００に対して直接貨幣処理に係る指示を行うよう構成することもできる。
【００５０】
＜操作表示部６００の処理手順＞
次に、図４に示した操作表示部６００の処理手順について説明する。図６は、図４に示した操作表示部６００の処理手順を示すフローチャートである。同図に示すように、操作検出部６７０ａがタッチパネル６０５上での操作を検出したならば（ステップＳ１０１；Ｙｅｓ）、この操作の操作パターンを抽出する（ステップＳ１０２）。具体的には、「ボタン押下操作」、「左へのフリック操作」、「右へのフリック操作」などの操作パターンが抽出される。
【００５１】
そして、この操作パターンが「ボタン押下操作」であるか否かを判定し（ステップＳ１０３）、「ボタン押下操作」である場合には（ステップＳ１０３；Ｙｅｓ）、ボタンに対応する操作内容を特定する（ステップＳ１０４）。一方、「ボタン押下操作」ではない場合には（ステップＳ１０３；Ｎｏ）、操作パターンテーブル６５１を参照して操作パターンに対応する操作内容を特定する（ステップＳ１０５）。
【００５２】
その後、操作内容に従ってタッチパネル６０５に表示する画面を遷移させる（ステップＳ１０６）。例えば、タッチパネル６０５に伝票入力画面Ｇ４が表示されている場合に、「完了ボタンの押下操作」又は「左へのフリック操作」が検知されたならば、伝票入力画面Ｇ４から印字待ち画面Ｇ５に遷移させることになる。
【００５３】
そして、「完了ボタンの押下操作」又は「左へのフリック操作」によって貨幣処理を実行する必要があるか否かを判定し（ステップＳ１０７）、貨幣処理を実行する必要がある場合には（ステップＳ１０７；Ｙｅｓ）、制御部８００に対して貨幣処理の実行を指示する（ステップＳ１０８）。
【００５４】
＜画面遷移の一例＞
次に、図４に示したタッチパネル６０５に表示される画面の遷移の一例について図７〜図１１を用いて説明する。図７〜図１１は、図４に示したタッチパネル６０５に表示される画面の遷移の一例を示す図である。
【００５５】
図７（ａ）に示すように、貨幣処理装置１が待機状態にある場合には、タッチパネル６０５上に「待機画面Ｇ１」が表示される。この待機画面Ｇ１には、バラ紙幣、束紙幣、新券、バラ硬貨及び包装硬貨の金種ごとの保有枚数（収納上限数における比率）等が含まれる。
【００５６】
操作員が、この待機画面Ｇ１にタッチすると、図７（ｂ）に示す「メニュー画面Ｇ２」が表示される。このメニュー画面Ｇ２には、「入金」、「入出金」、「管理業務」、「出金」、「ユーザーメニュー」、「照会」、「あるだけ入金」、「装填」、「取消」、「両替」、「回収」、「メンテナンス」等の操作ボタンが表示される。そして、操作員が所望の操作ボタンを押下操作すると、該当する画面に移行する。
【００５７】
操作員が、このメニュー画面Ｇ２の「入金」にタッチすると、図７（ｃ）に示す「計数開始待ち画面Ｇ３」が表示される。この計数開始待ち画面Ｇ３には、操作員の操作をガイダンスする画像が含まれるとともに、左下に「計数開始ボタン」が含まれる。操作員が、入金するバラ紙幣をバラ紙幣処理装置１００の紙幣投入口にセットして計数開始ボタンの押下操作を行うと、バラ紙幣処理装置１００によりバラ紙幣の計数が開始される。
【００５８】
また、図８（ａ）に示すように、本実施例１に係る貨幣処理装置１では、操作員が、入金するバラ紙幣をバラ紙幣処理装置１００の紙幣投入口にセットし、計数開始待ち画面Ｇ３上で「左へのフリック操作」を行った場合にも、計数開始ボタンの押下操作を行った場合と同様に、バラ紙幣処理装置１００によりバラ紙幣の計数が開始される。この場合には、貨幣処理指示部６７２から制御部８００に対して計数開始指示が行われ、この計数開始指示を受けた制御部８００が、バラ紙幣処理装置１００に対して計数開始指示を通知することになる。
【００５９】
このようにして、貨幣の計数が開始されたならば、図８（ｂ）に示すように、タッチパネル６０５上に伝票入力画面Ｇ４が表示される。この伝票入力画面Ｇ４には、計数結果が反映される。操作員は、その内容を確認するとともに、必要な修正を行って、伝票入力画面Ｇ４の左下に設けられた「完了ボタン」を押下操作することにより、図８（ｃ）に示す印字待ち画面Ｇ５に移行し、伝票の印字が行われる。
【００６０】
ここで、操作員が、この伝票入力画面Ｇ４上で「左へのフリック操作」を行った場合にも、完了ボタンの押下操作を行ったものとして取り扱われ、図８（ｃ）に示す印字待ち画面Ｇ５に移行し、伝票の印字が行われる。
【００６１】
一方、操作員が、図８（ｂ）に示した伝票入力画面Ｇ４において、「現金」を選択した場合には、図９（ａ）に示す現金入力画面Ｇ６がタッチパネル６０５上に表示される。操作員が、現金入力画面Ｇ６上で入金対象となる貨幣の種別と枚数を手入力し、「完了ボタン」を押下操作すると、図９（ｂ）に示す印字待ち画面Ｇ７に移行し、印字が行われる。
【００６２】
ここで、操作員が、この現金入力画面Ｇ６上で「左へのフリック操作」を行った場合にも、完了ボタンの押下操作を行ったものとして取り扱われ、図９（ｂ）に示す印字待ち画面Ｇ７に移行し、印字が行われる。
【００６３】
一方、操作員が、図８（ｂ）に示した伝票入力画面Ｇ４において、「損券・損貨」を選択した場合には、図１０（ａ）に示す損貨幣選択画面Ｇ８がタッチパネル６０５上に表示される。そして損貨幣選択画面Ｇ８において、「損券」を選択した場合には、この損貨幣選択画面Ｇ９には、有価媒体処理装置５００に損券をセットする旨を示すガイダンスが含まれるとともに、左下に「完了ボタン」が含まれる。
【００６４】
操作員が、有価媒体処理装置５００に損券をセットし、完了ボタンを押下操作すると、有価媒体処理装置５００が損券の読み取りを開始し、該損券を一時保留部に一時保留して、券面確認画面（１／２）Ｇ１０が表示される。この券面確認画面（１／２）Ｇ１０上で確定ボタンの押下操作又は左へのフリック操作が行われると、図１１（ａ）に示す券面確認画面（２／２）Ｇ１１が表示される。
【００６５】
操作員が、この券面確認画面（２／２）Ｇ１１上で確定ボタンの押下操作又は左へのフリック操作を行うと、図１１（ｂ）に示す損貨幣選択画面Ｇ１２が表示される。この損貨幣選択画面Ｇ１２上で確定ボタンの押下操作又は左へのフリック操作が行われると、図１１（ｃ）に示す印字待ち画面Ｇ１３に移行する。
【００６６】
上述してきたように、本実施例１によれば、操作表示部６００に表示された画面上で、操作員により「左へのフリック操作」が行なわれると、「完了ボタン」等が押下操作された場合と同様に、次画面への移行及び貨幣処理が行われるよう構成したので、操作員は、自らが望む迅速かつ効率的な貨幣処理に関する操作指示を行うことが可能となる。
【００６７】
また、操作を途中でやめて、計数した現金等を返却する場合には「右へのフリック操作」によって現金等の返却を行うこととしてもよく、操作表示部６００は複数の動作を検出するものである。
【００６８】
なお、図１２に示すように操作員による操作待ちの状態で、操作表示部６００にフリック操作やスワイプ操作などを案内する表示をしてもよい。ここでは、「完了」する場合には右へのフリック操作を行い、「戻る」場合には左へのフリック操作を行う場合を図示している。かかる案内表示を行うことにより、操作者は所望の操作（「完了」や「戻る」など）をするにあたり、操作表示部６００に表示された案内を参考にすることができるため、操作間違いを未然に防止することができる。
【実施例２】
【００６９】
ところで、上記の実施例１では、フリック操作やスワイプ操作などを検出する場合を示したが、本発明はこれに限定されるものではなく、モーションセンサを用いて操作員の指先の動作を検出する場合に適用することもできる。このため、本実施例２では、モーションセンサを用いて操作員の指先の動作を検出する場合を示すこととする。なお、必ずしも操作員の指先がタッチパネル６０５に触れている必要はなく、タッチパネル６０５の上部の空間上での動作についてもモーションセンサで検知することができる。以下では、実施例１と共通する部分についての詳細な説明については省略することとする。
【００７０】
＜実施例２に係る貨幣処理装置の特徴＞
本実施例２に係る貨幣処理装置１の特徴について説明する。図１３は、本実施例２に係る貨幣処理装置１の特徴を説明するための説明図である。ここでは、貨幣処理装置１に設けられた操作表示部９００の伝票入力画面Ｇ４において「完了操作」を行い、印字待ち画面Ｇ５に移行する場合を示している。
【００７１】
本実施例２に係る貨幣処理装置１では、操作表示部９００に表示された伝票入力画面Ｇ４上で、操作員が自らの指で「○」を描く動作を行うと（ステップＳ４）、この指の動きがモーションセンサにより検知され、「完了ボタン」が押下操作された場合と同様に、伝票入力画面Ｇ４での伝票入力が終了し、操作表示部９００に印字待ち画面Ｇ５が表示されるよう構成している。また、操作員が印字待ち画面Ｇ５上で「×」を描く操作を行うと（ステップＳ５）、「戻るボタン」が押下操作された場合と同様に、印字待ち画面Ｇ５から伝票入力画面Ｇ４に移行するよう構成している。
【００７２】
このように、本実施例２に係る貨幣処理装置は、操作員が自らの指で「○」又は「×」を描く操作を行うことにより、画面移行できるよう構成している。また、かかる画面の移行に伴って、必要に応じて該当する貨幣処理動作が実行されることになる。
【００７３】
なお、「○」を描く操作が「完了ボタン」の押下操作に対応し、「×」を描く操作が「戻るボタン」の押下操作に対応する旨の規則付けをあらかじめしておく必要がある。これにより、操作表示部９００上部の空間上で操作指示をすることができ、複数の処理があっても「完了ボタン」や「戻るボタン」等を操作員が狙って押下操作する必要がなくなり、処理効率が向上する結果となる。
【００７４】
＜実施例２に係る操作表示部９００の構成＞
次に、本実施例２に係る操作表示部９００の構成について説明する。図１４は、本実施例２に係る操作表示部９００の構成を示す機能ブロック図である。図１４に示すように、モーションセンサ９１０を有する。
【００７５】
モーションセンサ９１０は、タッチパネル６０５上での操作員の指先の動きを検知するセンサである。このモーションセンサ９１０は、超音波、画像処理等の各種の周知技術を用いて実現することができる。この場合の操作領域は、モーションセンサの検出可能空間となる。
【００７６】
記憶部６５０は、ハードディスク装置やフラッシュメモリ等の不揮発性メモリなどからなり、動作パターンテーブル９３０及び取引データ等を記憶するデバイスである。図１５は、動作パターンテーブル９３０の一例を示す図である。同図に示すように、この動作パターンテーブル９３０は、「○」を指で描く動作が「完了ボタン」の押下操作に対応付けられ、「×」を指で描く動作が「戻るボタン」の押下操作に対応付けられ、「□」を指で描く操作が待機画面Ｇ１への移行操作に対応付けられた状況を示している。
【００７７】
タッチパネル制御部６７０は、タッチパネル６０５に対する各種画面の表示制御及びタッチパネル６０５への操作入力の受付制御を行う制御部であり、動作検出部９２０を有する。この動作検出部９２０は、モーションセンサ９１０を用いてタッチパネル６０５上部の空間上で行われた操作員による指の動作を検出する検出部である。
【００７８】
判定部６７１は、記憶部６５０に記憶された動作パターンテーブル９３０に基づいて、動作検出部９２０により検知された動作が持つ意味を判定する処理部である。例えば、図１５に示す動作パターンテーブル９３０の場合には、動作検出部９２０によって「○」を指で描く動作が検知されると、操作員によって「完了ボタン」の押下操作がなされたものと判定される。
【００７９】
貨幣処理指示部６７２は、制御部８００に対して指の動作内容に応答する貨幣処理に係る指示を行う処理部である。例えば、動作検出部９２０によって「○」を指で描く動作が検知され、操作員によって「完了ボタン」の押下操作がなされたものと判定部６７１によって判定された場合に、この動作によって入金操作や出金操作が確定したならば、入金操作や出金操作に対応する貨幣処理を制御部８００に対して指示する。制御部８００は、かかる指示を受け付けたならば、バラ紙幣処理装置１００、束紙幣処理装置２００、バラ硬貨処理装置３００、包装硬貨処理装置４００、有価媒体処理装置５００又はプリンタ７００に対して該当する指示を通知する。なお、ここでは説明の便宜上、制御部８００に対して貨幣処理に係る指示を行う場合を示したが、本発明はこれに限定されるものではなく、貨幣処理指示部６７２が、バラ紙幣処理装置１００、束紙幣処理装置２００、バラ硬貨処理装置３００、包装硬貨処理装置４００、有価媒体処理装置５００又はプリンタ７００に対して直接貨幣処理に係る指示を行うよう構成することもできる。
【００８０】
＜実施例２に係る操作表示部９００の処理手順＞
次に、図１４に示した操作表示部９００の処理手順について説明する。図１６は、図１４に示した操作表示部９００の処理手順を示すフローチャートである。同図に示すように、動作検出部９２０がモーションセンサ９１０を用いてタッチパネル６０５上での動作を検出したならば（ステップＳ２０１；Ｙｅｓ）、この動作の動作パターンを抽出する（ステップＳ２０２）。具体的には、「ボタン押下操作」、「○」を描く動作、「×」を描く動作などの動作パターンが抽出される。
【００８１】
そして、この動作パターンが「ボタン押下操作」であるか否かを判定し（ステップＳ２０３）、「ボタン押下操作」である場合には（ステップＳ２０３；Ｙｅｓ）、ボタンに対応する操作内容を特定する（ステップＳ２０４）。一方、「ボタン押下操作」ではない場合には（ステップＳ２０３；Ｎｏ）、動作パターンテーブル９３０を参照して動作パターンに対応する操作内容を特定する（ステップＳ２０５）。
【００８２】
その後、操作内容に従ってタッチパネル６０５に表示する画面を遷移させる（ステップＳ２０６）。例えば、タッチパネル６０５に伝票入力画面Ｇ４が表示されている場合に、「完了ボタンの押下操作」又は「○」を指で描く動作が検知されたならば、伝票入力画面Ｇ４から印字待ち画面Ｇ５に遷移させることになる。
【００８３】
そして、「完了ボタンの押下操作」又は「○」を描く動作によって貨幣処理を実行する必要があるか否かを判定し（ステップＳ２０７）、貨幣処理を実行する必要がある場合には（ステップＳ２０７；Ｙｅｓ）、制御部８００に対して貨幣処理の実行を指示する（ステップＳ２０８）。
【００８４】
上述してきたように、本実施例２によれば、モーションセンサで操作員の指の動きを検知し、この指の動きに対応する操作内容を特定し、特定した操作内容に応じた貨幣処理を行うこととしたので、操作員は、自らが望む迅速かつ効率的な貨幣処理に関する操作指示を行うことが可能となる。
【００８５】
また、操作を途中でやめて、計数した現金等を返却する場合には「右へのフリック操作」によって現金等の返却を行うこととしてもよく、操作表示部９００は複数の動作を検出するものである。
【００８６】
なお、図１７に示すように操作員による操作待ちの状態で、操作表示部９００に動作ごとの操作内容を案内する表示をしてもよい。ここでは、「完了」する場合には「○」を描く動作を行い、「戻る」場合には「×」を描く動作を行う場合を図示している。かかる案内表示を行うことにより、操作者は所望の操作（「完了」や「戻る」など）をするにあたり、操作表示部９００に表示された案内を参考にすることができるため、操作間違いを未然に防止することができる。
【産業上の利用可能性】
【００８７】
本発明の貨幣処理装置及び貨幣処理方法は、操作員による操作性を向上させる場合に有用である。
【符号の説明】
【００８８】
Ｇ１  待機画面
Ｇ２  メニュー画面
Ｇ３  計数開始待ち画面
Ｇ４  伝票入力画面
Ｇ５，Ｇ７，Ｇ１３  印字待ち画面
Ｇ６  現金入力画面
Ｇ８  損貨幣選択画面
Ｇ９  損貨幣入金待ち画面
Ｇ１０，Ｇ１１  券面確認画面
Ｇ１２  損貨幣選択画面
１  貨幣処理装置
１００  バラ紙幣処理装置
２００  束紙幣処理装置
３００  バラ硬貨処理装置
４００  包装硬貨処理装置
５００  有価媒体処理装置
６００  操作表示部
６０５  タッチパネル
６２０  通信インタフェース部
６３０  ＲＡＭ
６４０  ＲＯＭ
６５０  記憶部
６５１  操作パターンテーブル
６６０  制御部
６７０  タッチパネル制御部
６７０ａ  操作検出部
６７１  判定部
６７２  貨幣処理指示部
７００  プリンタ
８００  制御部
８０２  通信部
８０４  ＲＯＭ
８０６  ＲＡＭ
８０８  記憶部
８１０  ＩＤカードリーダ
９００  操作表示部
９１０  モーションセンサ
９２０  動作検出部
９３０  動作パターンテーブル
【図１】
2018005745.tif 000003
【図２】
2018005745.tif 000004
【図３】
2018005745.tif 000005
【図４】
2018005745.tif 000006
【図５】
2018005745.tif 000007
【図６】
2018005745.tif 000008
【図７】
2018005745.tif 000009
【図８】
2018005745.tif 000010
【図９】
2018005745.tif 000011
【図１０】
2018005745.tif 000012
【図１１】
2018005745.tif 000013
【図１２】
2018005745.tif 000014
【図１３】
2018005745.tif 000015
【図１４】
2018005745.tif 000016
【図１５】
2018005745.tif 000017
【図１６】
2018005745.tif 000018
【図１７】
2018005745.tif 000019